(57)【特許請求の範囲】
【請求項１】
左右の眼鏡枠の各内側に取付座をそれぞれ取り付け、各鼻当ての上下方向の移動をガイドするガイド手段を取付座側と鼻当て側との間にそれぞれ設けてそれらガイド手段を介して取付座に対し上下移動ができるように鼻当てをそれぞれ取り付け、取付座側と鼻当て側との間において鼻当ての上下方向の位置をずらせた上下２か所の位置に鼻当てを磁力によって係止させる係止手段をそれぞれ設けた多焦点用眼鏡枠。
【請求項２】
左右の眼鏡枠の各内側に取付座をそれぞれ取り付け、ガイド片の上下方向の移動をガイドするガイド手段を取付座側とガイド片側との間にそれぞれ設けてそれらガイド手段を介して取付座に対し上下移動ができるようにガイド片をそれぞれ取り付け、またガイド片の前方側に左右に回転できるように鼻当てをそれぞれ取り付け、ガイド片・鼻当ての上下方向の位置をずらせた上下２か所の位置においてガイド片・鼻当てを磁力によって係止させる係止手段を取付座側とガイド片・鼻当て側との間にそれぞれ設けた多焦点用眼鏡枠。
【発明の詳細な説明】
【０００１】
【発明の属する技術分野】
本発明は、多焦点レンズをはめ込むものであって、鼻当てを上下させることで眼鏡枠を上下させ、どのレンズ部を使用する場合も使用レンズ部が適正高さになるようにした多焦点用眼鏡枠に関するものである。
【０００２】
【従来の技術】
実開昭６３−１２２３２１号公報には、鼻当てを上下させることで眼鏡枠を上下させるようにした多焦点用眼鏡枠が記載されている。このものにおいては、眼鏡枠の内側に取り付けた取付座に長方形の摺動枠を上下方向に取り付け、摺動枠の中央には棒状のスプリングをやや湾曲させて上下方向に取り付けている。そして、鼻当ての裏面には、摺動枠がはまって鼻当ての上下動をガイドするガイド片と、摺動枠のスプリングに圧接する固定ピンとを設けている。摺動枠とガイド片とをはめ合わせることで、摺動枠に鼻当てを取り付ける。このとき、摺動枠のスプリングがガイド片の固定ピンに圧接する。スプリングのばね力によりスプリングと固定ピンとの間に摩擦力が生じている。このため、鼻当てを上下させて任意の位置で摩擦力により停止させることができる。
【０００３】
【発明が解決しようとする課題】
前記従来の多焦点用眼鏡枠には次のような欠点がある。すなわち、スプリングと固定ピンとは常に接触し、同じような摩擦力が常時発生している。このため、鼻当ての上下動がスムースにはいかず、途中でつっかえたりしがちとなる。また、左右でバラバラの動きをし、両鼻当てが同じ高さにならないことも度度である。鼻当ての上下動がスムースにいき、しかも左右で同じ動きをして、初めて商品価値が出る。
本発明が解決しようとする課題は、鼻当てがスムースに上下し、しかも左右でバラバラの動きをしないようにした多焦点用眼鏡枠を提供することにある。
【０００４】
【課題を解決するための手段】
本発明に係る多焦点用眼鏡枠においては、取付座に対し上下する左右の鼻当て又はガイド片・鼻当てを上方位置及び下方位置で磁力によって係止させる係止手段を取付座側と鼻当て側との間にそれぞれ設けている。そして、上下の係止位置間の途中では摩擦は全くないか、あってもごく弱いものとしている。したがって、鼻当て又はガイド片・鼻当てはスムースに上下し、しかも左右でバラバラの動きをすることもない。また、鼻当て又はガイド片・鼻当てをしっかり係止させる必要のある上方位置及び下方位置での係止は磁力によるものとしている。したがって、それらの位置での係止は安定したものとなる。
【０００５】
【発明の実施の形態】
本発明においてそのような課題を解決したが、本発明に係る多焦点用眼鏡枠は次のようなものである。すなわち、左右の眼鏡枠の各内側に取付座をそれぞれ取り付け、各鼻当ての上下方向の移動をガイドするガイド手段を取付座側と鼻当て側との間にそれぞれ設けてそれらガイド手段を介して取付座に対し上下移動ができるように鼻当てをそれぞれ取り付け、取付座側と鼻当て側との間において鼻当ての上下方向の位置をずらせた上下２か所の位置に鼻当てを磁力によって係止させる係止手段をそれぞれ設けた多焦点用眼鏡枠である。
【０００６】
また、左右の眼鏡枠の各内側に取付座をそれぞれ取り付け、ガイド片の上下方向の移動をガイドするガイド手段を取付座側とガイド片側との間にそれぞれ設けてそれらガイド手段を介して取付座に対し上下移動ができるようにガイド片をそれぞれ取り付け、またガイド片の前方側に左右に回転できるように鼻当てをそれぞれ取り付け、ガイド片・鼻当ての上下方向の位置をずらせた上下２か所の位置においてガイド片・鼻当てを磁力によって係止させる係止手段を取付座側とガイド片・鼻当て側との間にそれぞれ設けた多焦点用眼鏡枠である。係止手段は取付座側とガイド片側との間に設けてもよいし、取付座側と鼻当て側との間に設けてもよい。
【０００７】
係止手段の係止力は磁力によるものとしている。磁石どうしを吸着させて係止させるようにしてもよいし、磁石・磁性体を吸着させて係止させるようにしてもよい。すなわち、取付座側及びガイド片側・鼻当て側の両者に互いに吸着し合う磁石を取り付けてもよいし、一方に磁石を取り付け他方に磁性体を取り付けてもよい。
【０００８】
ガイド手段としては任意のものが採用できる。とにかく鼻当てやガイド片の上下移動をガイドするものなら、どのようなものでもよい。なお、ガイド手段はそれらを正確に垂直に上下させるようにするものが望ましいが、やや斜めに上下させるようなものでもよい。取付座・ガイド片・鼻当ての形状・構造等も任意である。磁石・磁性体の形状も、円柱形・角柱形・だ円柱形・円筒形・角筒形・だ円筒形その他どのようなものでもよい。取付座・ガイド片・鼻当てに磁石・磁性体を取り付けるやり方も任意である。
【０００９】
請求項１の多焦点用眼鏡枠は、次のように使用する。遠方用レンズ部による通常の状態で使用するには、取付座に対し鼻当てを上昇させ、鼻当てを上方位置で係止させる係止手段で係止させて使用する。このとき、左右の眼鏡枠は下降位置に支持され、遠方用レンズ部が遠方視の視線のほぼ中央に来ている。
【００１０】
近点用レンズ部を使用するには、装用状態のまま眼鏡枠を持ち上げ鼻当てをまゆ毛の生え際辺りに押し付ける。ガイド手段にガイドされながら鼻当てに対し取付座が上昇し、鼻当てを下方位置で係止させる係止手段で係止される。この状態では、近点用レンズ部が近点視のほぼ中央にある。
再び遠方用レンズ部を使用する状態にするには、眼鏡枠を押し下げる。鼻の当接面に押されて取付座に対し鼻当てが上昇し、上方位置で係止される。
【００１１】
請求項２のものの作動は次のとおりである。遠方視の場合は、取付座に対しガイド片・鼻当てを上昇させ、ガイド片・鼻当てを上方位置で係止手段により係止させて使用する。近点視の場合は、ガイド片・鼻当てを下降させ、ガイド片・鼻当てを下方位置で係止させる係止手段で係止させて使用する。
【００１２】
【実施例】
実施例１
実施例１を図１に基づいて説明する。図１は縦断面図である。１０は眼鏡枠を示している。眼鏡枠１０の内側に支持脚１１の後端を取り付け、支持脚１１の先端にねじ１２で取付座１３を取り付けている。取付座１３の先端は垂直方向の円筒１４に形成し、円筒１４内には円柱状の磁石１５をはめている。取付座１３において、円筒１４より後方の中間部は板状部１６としている。
【００１３】
別体の鼻当て１７を用意している。鼻当て１７の前面は湾曲面に形成し、後面は垂直の平面に形成している。鼻当て１７の後方寄りの位置において、上部を少しだけ残し円柱状のくぼみ１８を垂直方向に設けている。くぼみ１８は、取付座１３の円筒１４がちょうどはまる大きさのものとしている。くぼみ１８の後方は後方へと貫通するスリット１９としている。スリット１９の幅は、取付座１３の板状部１６の厚さよりわずかだけ大きいものとしている。そして、くぼみ１８の上方位置において、鼻当て１７内に円柱状の磁石２０を埋め込んでいる。
【００１４】
鼻当て１７のくぼみ１８及びスリット１９に、取付座１３の円筒１４及び板状部１６を下方からそれぞれはめる。それから、鼻当て１７の下端に抜止め片２１を接着するが、鼻当て１７のくぼみ１８の下方に当たる位置において抜止め片２１に円柱状の磁石２２を埋め込んでいる。
【００１５】
図１に示したものは、次のように使用する。図１は、取付座１３に対して鼻当て１７が下降し、取付座１３の磁石１５が鼻当て１７の上方の磁石２０と吸着し合った状態を示している。鼻当て１７は下降位置にあって眼鏡枠１０は逆に上方位置に保持され、近点視の状態になっている。
【００１６】
遠方視の状態にするには、鼻当て１７が当たっている鼻の当接面に向かって眼鏡枠１０を押し下げる。取付座１３の円筒１４が鼻当て１７のくぼみ１８にガイドされながら取付座１３が下降していき、取付座１３の磁石１５が抜止め片２１の磁石２２と吸着し合ったところで取付座１３の下降が止まって遠方視の状態になる。
【００１７】
近点視の状態に帰すには、眼鏡枠１０を持ち上げ鼻当て１７をまゆ毛の生え際辺りに押し付ける。鼻当て１７に対し取付座１３が上昇し近点視の状態になる。
【００１８】
なお、取付座１３の円筒１４を垂直にしているため、取付座１３と鼻当て１７とは相対的に垂直に上下する。もし鼻当て１７が取付座１３に対し斜めに上下するようになっていると、鼻当て１７の上下量より眼鏡枠１０の上下量が小さくなる。図１のものにおいては、鼻当て１７の上下量に相当する上下量を得ることができる。
【００１９】
以上のものにおいて、鼻当て１７側の磁石２０・２２は磁性体に変えてもよい。逆に、取付座１３側の磁石１５を磁性体に変えてもよい。
【００２０】
実施例２
実施例２を図２に基づいて説明する。鼻当て１７ａには、くぼみ１８ａとスリット１９ａとを上下に貫通させて設けている。くぼみ１８ａ内の上端と下端とに、円筒状の磁石２３・２４をそれぞれ取り付けている。磁石２３・２４には、鼻当て１７ａのスリット１９ａを延長する位置に、同じ幅のスリット２５・２６をそれぞれ設けている。そして、取付座１３ａの円筒１４ａ・板状部１６ａをくぼみ１８ａ・スリット１９ａにはめた状態にした上で、鼻当て１７ａの上端及び下端に抜止め片２７・２８をそれぞれ接着して取り付けると、図２に示す状態になる。なお、取付座１３ａの板状部１６ａには、鼻当て１７ａの後面に当たる位置につば２９を設けている。
【００２１】
鼻当て１７ａの上昇時及び下降時には取付座１３ａの円筒１４ａ・磁石１５ａが鼻当て１７ａの上下の磁石２３・２４内にはまった状態になる。このため、実施例１のものと比較し、鼻当て１７ａの上下量を大きくすることができる。その分、鼻当て１７ａを小さくすることができる。
【００２２】
このものにおいても、磁石２３・２４の代わりに磁性体を用いることができる。逆に、磁石１５ａの代わりに磁性体を使用することもできる。
【００２３】
実施例３
実施例３を図３に基づいて説明する。取付座１３ｂに円筒１４ｂ・板状部１６ｂを設け、円筒１４ｂ内に磁石１５ｂをはめている。上下に細長くしたガイド片３０を用意している。ガイド片３０には、上方部分を残して垂直方向へ断面円形のくぼみ３１を設け、くぼみ３１の後方にスリット３２を設けている。くぼみ３１・スリット３２は取付座１３ｂの円筒１４ｂ・板状部１６ｂがちょうどはまる大きさに形成し、それらに円筒１４ｂ・板状部１６ｂをはめた状態にしている。ガイド片３０の上方部に磁石３３を埋め込み、抜止め片３４を下端に取り付けている。抜止め片３４には磁石３５を埋め込んでいる。また、ガイド片３０の前方部中央にねじ穴３６をあけている。
【００２４】
別体の鼻当て１７ｂを用意している。鼻当て１７ｂにはガイド片３０がはまるくぼみ３７を後方から設け、ガイド片３０のねじ穴３６と一致するねじ穴をくぼみ３７の前方中央にあけている。くぼみ３７の前壁は、そのねじ穴を中心にしてくの字形に屈曲したものとしている。そして、くぼみ３７にガイド片３０をはめ、ガイド片３０のねじ穴３６と鼻当て１７ｂのねじ穴を一致させてねじ３８をねじ込み、ガイド片３０に対しねじ３８を中心にして左右に回転できるように鼻当て１７ｂを取り付けている。
【００２５】
図３は、取付座１３ｂの磁石１５ｂとガイド片３０の磁石３５とが吸着し合った状態を示している。取付座１３ｂに対し鼻当て１７ｂが上昇し、遠方視の状態になっている。
【００２６】
近点視の状態にするには、眼鏡枠を持ち上げ鼻当て１７ｂをまゆ毛の生え際辺りに押し付ける。鼻当て１７ｂの上方側がねじ３８を中心にしてガイド片３０方向へ回転し、取付座１３ｂに対し鼻当て１７ｂ・ガイド片３０が下降する。取付座１３ｂの磁石１５ｂとガイド片３０の磁石３３とが吸着し合ったところで、近点視の状態になる。
【００２７】
このものにおいても、磁石３３・３５の代わりに磁性体を用いてもよいし、磁石１５ｂの代わりに磁性体を用いてもよい。
【００２８】
実施例４
実施例４を図４・図５に基づいて説明する。ガイド片３０ａの下端には、リング状の抜止め片３９を接着して取り付けている。また、鼻当て１７ｃの下方をガイド片３０ａ側に回転させたとき取付座１３ｃの磁石１５ｃの下方に当たる位置において、鼻当て１７ｃに磁石４０を埋め込んでいる。その他の構成は実施例３と同じである。
【００２９】
図４は、鼻当て１７ｃの下方側がガイド片３０ａ側へ回転し、取付座１３ｃの磁石１５ｃと鼻当て１７ｃの磁石４０とが吸着し合った状態を示している。取付座１３ｃに対し鼻当て１７ｃが上昇し、遠方視の状態になっている。
【００３０】
近点視の状態にするには、眼鏡枠を持ち上げ鼻当て１７ｃをまゆ毛の生え際辺りに押し付ける。鼻当て１７ｃの上方側がねじ３８ａを中心にしてガイド片３０ａ側へ回転する。このとき、鼻当て１７ｃの下方側がガイド片３０ａの下方位置から外れ、磁石１５ｃ・４０の吸着状態が解かれる。そのまま眼鏡枠を持ち上げると、ガイド片３０ａの磁石３３ａが取付座１３ｃの磁石１５ｃと接触し、両者が吸着し合って係止される。このとき、ガイド片３０ａの上端が鼻当て１７ｃのくぼみ３７ａの上壁に当たって、図５に示す状態になっている。
【００３１】
遠方視の状態に帰すには、眼鏡枠を押し下げて鼻当て１７ｃを鼻の当接面に押し当てる。鼻当て１７ｃの下方側がガイド片３０ａ側へ回転し、逆に鼻当て１７ｃの上端がガイド片３０ａの上端から外れる。それから、取付座１３ｃが下降していって図４の状態になる。
【００３２】
図４・５のものにおいて、磁石３３ａ・４０は磁性体に変えてもよい。逆に、取付座１３ｃ側の磁石１５ｃを磁性体に変えてもよい。
【００３３】
実施例５
実施例５を図６に基づいて説明する。図６の（ａ）（ｂ）（ｃ）（ｄ）は、それぞれ作動を示す縦断面図である。ガイド片３０ｂの上端には磁石を取り付けず、リング状の抜止め片４１を接着して取付けている。鼻当て１７ｄの下方をガイド片３０ｂ側に回転させたとき取付座１３ｄの磁石１５ｄの上方に当たる位置において、鼻当て１７ｄに磁石４２を埋め込んでいる。また、くぼみ３７ｂ内の奥において鼻当て１７ｄに板ばね４３の上端を取り付け、板ばね４３の下方部でガイド片３０ｂの下方側を押すようにしている。その他の構成は実施例４と同じである。
【００３４】
図６の（ａ）は、取付座１３ｄに対し鼻当て１７ｄが上昇し、取付座１３ｄの磁石１５ｄが鼻当て１７ｄの下方の磁石４０ａと吸着し合った遠方視の状態を示している。近点視の状態にするには、眼鏡枠を持ち上げ鼻当て１７ｄをまゆ毛の生え際辺りに押し付ける。（ｂ）に示すように、鼻当て１７ｄの下方の磁石４０ａが取付座１３ｄの磁石１５ｄから外れる。そのまま眼鏡枠を持ち上げて手を離すと、（ｃ）に示すように、鼻当て１７ｄの上方の磁石４２と取付座１３ｄの磁石１５ｄとが吸着し合い、近点視の状態になる。
【００３５】
遠方視の状態に帰すには、眼鏡枠を押し下げる。（ｄ）に示すように、板ばね４３を押しながら鼻当て１７ｄの下方側がガイド片３０ｂ側へ回転し、取付座１３ｄの磁石１５ｄが上方の磁石４２から外れる。鼻当て１７ｄに対し取付座１３ｄが下降したところで眼鏡枠から手を離すと、鼻当て１７ｄの下方側が板ばね４３に押されてガイド片３０ｂから離れる方向へ回転し、（ａ）の状態に帰る。
【００３６】
図６のものにおいて、磁石４０ａ・４２は磁性体に変えてもよい。逆に、取付座１３ｄの磁石１５ｄを磁性体に変えてもよい。
【００３７】
実施例６
実施例６を図７に基づいて説明する。図７の（ａ）（ｂ）（ｃ）は、それぞれ作動を示す縦断面図である。鼻当て１７ｅのくぼみ１８ｂの下方部において、くぼみ１８ｂをスリット１９ｂ側へ徐徐に広げている。くぼみ１８ｂの下方位置に磁石２２ａを埋め込んでいる。磁石２０ａを埋め込んだ抜止め片４４を鼻当て１７ｅの上端に接着している。その他の構成は実施例１とほぼ同じである。
【００３８】
図７の（ａ）は、遠方視の状態を示している。眼鏡枠を持ち上げて鼻当て１７ｅをまゆ毛の生え際辺りに押し付けたとき、（ｂ）に示すように鼻当て１７ｅの上方側が外側へ振れ、鼻当て１７ｅの磁石２２ａが取付座１３ｅの磁石１５ｅから外れる。そのまま更に眼鏡枠を持ち上げて手を離すと、（ｃ）に示す近点視の状態になる。
【００３９】
磁石２０ａ・２２ａは磁性体に変えてもよい。逆に、取付座１３ｅの磁石１５ｅを磁性体に変えてもよい。
【００４０】
実施例７
実施例７を図８に基づいて説明する。図８の（ｄ）は鼻当て１７ｆの裏面図である。（ａ）は（ｄ）のＡ−Ａ断面図、（ｂ）及び（ｃ）はそれぞれ（ａ）の作動を示す縦断面図である。鼻当て１７ｆのくぼみ１８ｃの下方に磁石２２ｂを埋め込んでいる。くぼみ１８ｃはスリット１９ｃを介して外部へ貫通させている。そして、スリット１９ｃの部分の左右にはスリット１９ｃに沿った方向のガイド溝４５をそれぞれあけ、両ガイド溝４５の外側にガイド板４６をそれぞれ形成している。取付座１３ｆの円筒１４ｄをくぼみ１８ｃ内にはめ、円筒１４ｄには磁石１５ｆをはめている。円筒１４ｄのスリット１９ｃ寄りの外周は下側へ行くに従い次第に内側へと傾斜させている。ガイド溝４５の位置において取付座１３ｆに板状体４７を形成し、板状体４７の上端の両側に突起４８をそれぞれ設けている。そして、板状体４７の両側部分と両突起４８とを両ガイド溝４５にはめている。ただし、下方部において両ガイド板４６の間隔を次第に広げ、板状体４７の幅よりやや広い間隔にまで広げている。そして、板状体４７の幅よりやや広い間隔にまで広げ終わった位置において、両ガイド溝４５に段部４９を形成し、ガイド溝４５は段部４９で終わらせている。鼻当て１７ｆの上端には、磁石２０ｂを埋め込んだ抜止め片４４ａを接着している。
【００４１】
（ａ）は、取付座１３ｆの磁石１５ｆと鼻当て１７ｆの下方の磁石２２ｂとが吸着し合った遠方視の状態を示している。眼鏡枠を持ち上げ鼻当て１７ｆをまゆ毛の生え際当たりに押し当てる。円筒１４ｄのスリット１９ｃ寄りの外周が傾斜し、しかも取付座１３ｆの板状体４７がガイド溝４５から外れているため、（ｂ）に示すように鼻当て１７ｆの上側が外側へ回転し、鼻当て１７ｆの磁石２２ｂが取付座１３ｆの磁石１５ｆから外れる。そのまま眼鏡枠を持ち上げていくと、取付座１３ｆの磁石１５ｆが鼻当て１７ｆの上方の磁石２０ｂと吸着し合った（ｃ）に示す近点視の状態になる。
【００４２】
磁石２０ｂ・２２ｂは磁性体に変えてもよい。逆に、取付座１３ｆの磁石１５ｆを磁性体に変えてもよい。
【００４３】
【発明の効果】
本発明に係る多焦点用眼鏡枠においては、取付座に対し鼻当てやガイド片を上昇位置及び下方位置で係止させる係止手段をそれぞれ設けている。そして、両係止位置間の途中では摩擦力はほとんど生じない。したがって、左右の鼻当てはスムースに上下し、しかも左右で同じ動きをする。係止手段は磁力によるものとしているため、安定した係止力を得ることができる。
【図面の簡単な説明】
【図１】実施例１を示す縦断面図である。
【図２】実施例２を示す縦断面図である。
【図３】実施例３を示す縦断面図である。
【図４】実施例４の作動を示す縦断面図である。
【図５】実施例４の作動を示す縦断面図である。
【図６】実施例５の作動を示す縦断面図である。
【図７】実施例６の作動を示す縦断面図である。
【図８】実施例７を示す裏面図及び実施例７の作動を示す縦断面図である。
【符号の説明】
１０  眼鏡枠
１３・１３ａ・１３ｂ・１３ｃ  取付座
１５・１５ａ・１５ｂ・１５ｃ  磁石
２０・２２・２３・２４・３３・３３ａ・３５・４０  磁石
１７・１７ａ・１７ｂ・１７ｃ  鼻当て
１８・３１・３１ａ  くぼみ
３０・３０ａ  ガイド片
【図１】
0003706975.tif 000002
【図２】
0003706975.tif 000003
【図３】
0003706975.tif 000004
【図４】
0003706975.tif 000005
【図５】
0003706975.tif 000006
【図６】
0003706975.tif 000007
【図７】
0003706975.tif 000008
【図８】
0003706975.tif 000009